(57)【要約】【課題】まつ毛の根元へ塗布する際に眼球やまぶたへの接触の恐怖を低減しながら、良好なメーキャップ効果が得られる目元化粧用塗布具が提供される。【解決手段】  支軸２０と、該支軸に支持される基台部１９と、基台部に形成され、基台部の長手方向に直交する方向に延在する複数の突起１３と、を有する目元化粧用塗布具４０であって、突起１３は基台部１９の腹面１１から突出するよう形成され、突起１３は基台部１９の外周縁１１１から外側に突出する突出部１３２を含むことを特徴とする。【選択図】図２
2017119108.tif 000002
【特許請求の範囲】
【請求項１】
支軸と、
該支軸に支持される基台部と、
前記基台部の腹面に形成され、前記基台部の長手方向に直交する方向に延在する複数の突起と、を有する目元化粧用塗布具であって、前記突起は前記基台部の腹面から突出するよう形成され、
前記突起は前記基台部の外周縁から外側に突出する突出部を含むことを特徴とする、
目元化粧用塗布具。
【請求項２】
前記基台部の幅方向における横断面は、前記腹面において、少なくとも一部が略直線である形状であることを特徴とする、
請求項１項に記載の目元化粧用塗布具。
【請求項３】
前記基台部の厚さは、前記基台部の前記長手方向において、前記支軸から離れるにつれて徐々に薄くなり、
前記基台部の幅は、前記長手方向において、前記支軸から離れるにつれて、徐々に狭くなっており、前記腹面は被針形状であることを特徴とする、
請求項１又は２に記載の目元化粧用塗布具。
【請求項４】
前記基台部の長手方向において、前記支軸から最も離れた、前記基台部の前記被針形状の先端に、長手方向に延伸する針状の先端部を設けている、
請求項３に記載の目元化粧用塗布具。
【請求項５】
前記基台部の少なくとも一部にフロッキー処理を施すことを特徴とする、
請求項１乃至４のいずれか一項に記載の目元化粧用塗布具。
【請求項６】
前記基台部の前記腹面と対向する背面は、長手方向及び幅方向に対して外側に向けて突出した凸状湾曲面であり、
前記腹面は、長手方向に対して窪んだ凹状湾曲面であることを特徴とする、
請求項１乃至５のいずれか一項に記載の目元化粧用塗布具。
【請求項７】
前記基台部は、前記支軸に対して所定の角度に傾いていることを特徴とする、
請求項１乃至６のいずれか一項に記載の目元化粧用塗布具。
【請求項８】
前記腹面から突出する前記突起の先端部は、前記基台部の前記長手方向に対応する幅が、最も広いところで、０．５ｍｍ以上１．３ｍｍ以下の幅を備える、平面又は延在方向に対して窪んだ湾曲面を形成することを特徴とする、
請求項１乃至７のいずれか一項に記載の目元化粧用塗布具。
【請求項９】
「前記突起の延在方向の長さ」ｘ「前記突起の幅」で求められる、前記突起の前記先端部の先端面積が０．６ｍｍ２以上６．０ｍｍ２以下であることを特徴とする、
請求項８に記載の目元化粧用塗布具。
【請求項１０】
複数の前記突起の前記先端部が前記基台部の前記長手方向に対して窪んだ湾曲形状に並ぶように、複数の前記突起が並設されており、
前記突起の前記先端部の幅と隣接する突起間の間隙の幅との比率が、１：４以上１：０．８以下である、ことを特徴とする。
請求項８又は９に記載の目元化粧用塗布具。
【請求項１１】
前記基台部の外周縁の少なくとも一部から外側に突出する前記突出部の先端部が、０．５ｍｍ以上１．３ｍｍ以下の幅を備える平面又は湾曲面を形成することを特徴とする、
請求項１乃至１０のいずれか一項に記載の目元化粧用塗布具。
【請求項１２】
「前記突起の高さ」ｘ「前記突起の幅」で求められる、前記突出部の先端部の先端面積が０．２ｍｍ２以上２．０ｍｍ２以下であることを特徴とする、
請求項１１に記載の目元化粧用塗布具。
【請求項１３】
複数の前記突出部は、前記支軸から離れるにつれて前記基台部の前記外周縁から長く突出するように並設されており、
前記突出部の先端部の幅と隣接する突出部間の間隙の幅との比率が、１：４以上１：０．８以下である、ことを特徴とする。
請求項１１又は１２に記載の目元化粧用塗布具。
【請求項１４】
前記突起は前記基台部の腹面から突出しており、
前記基台部の前記腹面と対向する背面から突出し、前記基台部の前記長手方向に直交する方向に延在する複数の背面突起を更に備える、
請求項２乃至１３のいずれか一項に記載の目元化粧用塗布具。
【請求項１５】
前記背面から突出する各背面突起は、前記延在する方向において、中央部が高く前記基台部の前記外周縁へ近づくにつれて徐々に低くなる略三日月形状であることを特徴とする、
請求項１４に記載の目元化粧用塗布具。
【請求項１６】
請求項１乃至１５のいずれか一項に記載の目元化粧用塗布具と、
前記目元化粧用塗布具の前記支軸に連結可能な把持部と、
前記把持部と装着可能であって、化粧料を収容する化粧料容器と、を備えることを特徴とする、
目元化粧用具。
【発明の詳細な説明】
【技術分野】
【０００１】
本発明は目元化粧用塗布具であって、特にマスカラ液、まつ毛用育毛剤、マスカラ下地、まつ毛コーティング剤、まつ毛エクステ用コーティング剤などの化粧料を塗布する目元化粧用塗布具及び該目元化粧用塗布具が適用される目元化粧用具に関する。
【背景技術】
【０００２】
化粧を行う際に使用する化粧用具として数々のものがあるが、その一つとしてマスカラ（液）を塗布する際に使用するマスカラ塗布具がある。マスカラは、マスカラ液を塗布することで、まつ毛を濃く、長く、及びカールさせるものである。
【０００３】
マスカラを塗布する際、まつ毛を濃くし、仕上がりを美しく見せるには、まつ毛の生え際（根元）からまつ毛の毛先まで、マスカラ液がしっかり塗布されていると好ましい。
【０００４】
従来では、マスカラ塗布具として軸から放射状に突出するブラシが用いられていた（例えば、特許文献１）。
【先行技術文献】
【特許文献】
【０００５】
【特許文献１】特表２０１３−５３８０６５号公報
【発明の概要】
【発明が解決しようとする課題】
【０００６】
しかしながら、マスカラ塗布具としてブラシを用いた場合には、ブラシの毛先が長いこと、及び放射状に突出することにより、使用者がマスカラブラシの先端がまぶたや眼球へ接触する恐れを感じてしまう。
【０００７】
また、まつ毛の根元に塗布具を当てた場合に、ブラシやコームの先端がまつ毛の隙間からまぶたに接触することで、まぶたにマスカラ液が付着することを回避しようという潜在的な意識が働いてしまう。
【０００８】
よって、従来のマスカラ塗布具ではまつ毛の根元に確実にマスカラ液（化粧料）を塗布することができないという問題点があった。
【０００９】
そこで、本発明は上記事情に鑑みてなされたものであり、まつ毛の根元へマスカラ液を塗布する際に眼球やまぶたへの接触の恐怖を低減しながら、良好なメーキャップ効果が得られる目元化粧用塗布具を提供することを目的とする。
【課題を解決するための手段】
【００１０】
上記の課題は、支軸と、該支軸に支持される基台部と、前記基台部に形成され、前記基台部の長手方向に直交する方向に延在する複数の突起と、を有する目元化粧用塗布具であって、前記突起は前記基台部の腹面から突出するよう形成され、前記突起は前記基台部の外周縁から外側に突出する突出部を含むことを特徴とする、目元化粧用塗布具によって解決することができる。
【発明の効果】
【００１１】
一態様によれば、目元化粧用塗布具において、まつ毛の根元へ塗布する際に眼球やまぶたへの接触の恐怖を低減しながら、良好なメーキャップ効果が得られる。
【図面の簡単な説明】
【００１２】
【図１】図１は、本発明の一実施形態である、マスカラ塗布具（目元化粧用塗布具）及び該マスカラ塗布具を適用する目元化粧用具であって、（Ａ）はマスカラ塗布具をマスカラ容器へ装着した状態の半断面図であり、（Ｂ）はマスカラ塗布具をマスカラ容器から取り外した状態の正面図である。
【図２】図２は、本発明の一実施形態である、マスカラ塗布具の塗布体の拡大図であって、（Ａ）は正面図、（Ｂ）は平面図、（Ｃ）は下面図である。
【図３】図３は、本発明のマスカラ塗布具の塗布体の拡大説明図であって、（Ａ）は斜視図であり、（Ｂ）は（Ａ）における１−１'線に沿う断面図であり、（Ｃ）は（Ａ）における２−２'線に沿う断面図である。
【図４】図４は比較例のマスカラの塗布体の説明図であって、（Ａ）は比較例のマスカラの図３の（Ａ）のＰ方向から見た矢視図であり、（Ｂ）は比較例のマスカラを用いて化粧をするときの目元を示す図である。
【図５】本発明の一実施形態のマスカラの塗布体の説明図であって、（Ａ）は本発明の一実施形態のマスカラの図３の（Ａ）のＰ方向から見た矢視図あり、（Ｂ）は本願の一実施形態のマスカラを用いて化粧をするときの目元を示す図である。
【図６】図６は本発明の一実施形態の目元化粧用塗布具のマスカラの上まつ毛への使用態様の例を示し、（Ａ）および（Ｂ）はまつ毛根元へのマスカラ液塗布時の正面図、（Ｃ）はまつ毛根元へのマスカラ液塗布時の側面図、（Ｄ）はまつ毛の中央部〜先端部へのマスカラ液塗布時の側面図、（Ｅ）はまつ毛中央部のまつ毛さばき時の斜視図、（Ｆ）は目尻付近のまつ毛さばき時の斜視図を示す。
【図７】図７は本発明の一実施形態の目元化粧用塗布具のマスカラの下まつ毛への使用態様の例であって、（Ａ）は背側を上に向けた使用例の正面図で、（Ｂ）は（Ａ）に対応する側面図であり、（Ｃ）は腹側を上に向けた使用例の正面図で、（Ｄ）は（Ｃ）に対応する側面図である。
【図８】図８は本発明の一実施形態の目元化粧用塗布具のアイライナーの使用態様の例を示し、（Ａ）は細めにアイラインを引く場合の正面図、（Ｂ）は太めにアイラインを引く場合の正面図を示す。
【図９】図９は、本発明に係る基台部の複数の変形例の横断図である。
【図１０】図１０は、本発明に係る腹面突起の複数の変形例の横断図である。
【図１１】図１１は、本発明に係る腹面突起の複数の変形例の横断図である。
【図１２】図１２は、本発明に係る背面突起の複数の変形例の横断図である。
【図１３】図１３は、本発明に係る側面突起の複数の変形例の横断図である。
【図１４】図１４は、本発明に係る塗布体の先端部の変形例を含むマスカラ塗布具の塗布体の拡大図である。
【発明を実施するための形態】
【００１３】
本発明の実施の形態について図面と共に説明する。
＜目元化粧用具＞
図１は、本発明の一実施形態である、マスカラ塗布具（目元化粧用塗布具、アプリケーター）及び該マスカラ塗布具を適用する目元化粧用具を示している。図１において、（Ａ）はマスカラ塗布具をマスカラ容器へ装着した状態の半断面図であり、（Ｂ）はマスカラ塗布具がマスカラ容器から取り外された状態の外観図である。
【００１４】
先ず、図１の（Ａ）及び（Ｂ）を用いてマスカラツール（目元化粧用具）１について説明する。マスカラツール１は、マスカラ塗布具４０とマスカラ容器５０とを有する。
【００１５】
マスカラ容器（化粧料容器）５０は、内部に化粧料（マスカラ液等）Ｍが充填される（収容される）容器である。図１で示される化粧料Ｍは、マスカラ（マスカラ液）に限られず、まつ毛用育毛剤、マスカラ下地、まつ毛コーティング剤、まつ毛エクステ用コーティング剤、アイライナー液、およびマスカラとアイライナー兼用化粧料組成物等の複数用途に使用できる化粧料などであってもよい。
【００１６】
マスカラ塗布具４０は、塗布体１０と、支持軸（支軸）２０と、把持部３０とを備えている。円柱形状の把持部（枝部、蓋部）３０には、支持軸２０が取り付けられている。支持軸２０の先端には、マスカラ液の塗布体１０が取り付けられている。塗布体１０の詳細については後述する。
【００１７】
マスカラ容器５０は略筒状体であり、化粧料Ｍを取り出すための開口部が形成されている。開口部には雄ネジ５１が形成されており、この雄ネジ５１にはマスカラ塗布具４０の把持部３０の内壁に形成された雌ネジ３１が螺合する。
【００１８】
マスカラ容器５０が、図１の（Ａ）に示すように把持部３０に螺合した状態では、支持軸２０に設けられた塗布体１０は、マスカラ容器５０内の化粧料Ｍに浸漬される。
【００１９】
また、マスカラ容器５０の開口部近傍には、しごき部材５２が設けられている。しごき部材５２は弾性体により構成され、マスカラ容器５０をマスカラ塗布具４０から取り外す際、塗布体１０と接触することにより、塗布体１０に過剰に付着したマスカラをしごく。このしごき部材５２により、塗布体１０に含ませるマスカラの量を適度に調整することができる。
【００２０】
更に、マスカラ容器５０の開口部の近傍には、容器側当接部５３が設けられている。また支持軸２０には、把持側当接部２１が設けられている。把持側当接部２１は、容器側当接部５３に化粧料Ｍが溜まった場合に、その化粧料を容器内に押し戻す作用を有する。
【００２１】
支持軸２０は、把持部３０から取り外し可能であってもよく、一体形成されていてもよい。取り外し可能な場合は係合部（突起部）２２が、把持部３０の内壁３２や係合部（不図示）に着脱可能に係合する。
【００２２】
図２及び図３に示すように、塗布体１０は、基台部１９、突起１３，１４、及び支持部１７を備えている。
【００２３】
塗布体１０は、支持軸２０から取り外し可能であってもよく、一体形成されていてもよい。取り外し可能な場合は支持部１７に接続された連結部１７Ｊが、支持軸２０の内壁等と着脱可能に係合することで、塗布体１０が支持軸２０へ連結される。
【００２４】
また、基台部１９、突起１３，１４、及び支持部１７は、表面がフロッキー（細毛）１６で覆われる構成としてもよい。
【００２５】
＜塗布体＞
次に、図２及び図３を用いて塗布体１０の詳細について説明する。
【００２６】
図２及び図３は、本発明の一実施形態である、マスカラ塗布具４０の塗布体１０の拡大図である。
【００２７】
塗布体１０は、支持軸２０の先端に連結される支持部１７と、支持部１７に支持される基台部１９と、該基台部１９から突出する複数の壁状の突起１３，１４を備えている。この壁状の突起１３，１４は、断面が矩形状又は多角形状の角柱状の突起である。なお、支持部１７を設けず、基台部１９と支持軸２０を直接連接してもよい。
【００２８】
この塗布体１０は、樹脂を一体成型することにより形成されている。樹脂材料としては熱可塑性樹脂を用いることが望ましく、例えばエラストマー、ポリエチレン、ポリプロピレン、ポリスチレン、ポリエチレンテレフタレート、ポリブチレンテレフタレート、ポリカーボネート、ポリアセテート、ナイロン等を用いることができる。
【００２９】
基台部１９は、平面視で長手方向Ｌ（基台部１９の中央部の湾曲方向）及びそれと直交する幅方向（短手方向）Ｓを有する縦長の細長い形状をしている。基台部１９は、腹面（マスカラ液を主に塗布する側の塗付面）１１、背面（まつ毛さばき面）１２、及び針状先端１５を含む。
【００３０】
基台部１９は、高さ方向Ｈ、及び幅方向Ｓにおいて、先端に向かうにつれて漸次細く（幅狭に）なっている。基台部１９は、腹面１１及び該腹面１１に対向して位置する背面１２を有する略板状の形状をしている。
【００３１】
基台部１９は、支持軸２０が延伸する軸方向Ａに対して、腹面１１側へ凹状に湾曲したアーチ状をしている。つまり腹面１１は凹状湾曲面（くぼみ面）になっている。これとともに基台部１９は、該基台部１９の幅方向Ｓに関しても、図２の（Ａ）及び図３の（Ａ）に示すように、腹面１１側へ凹状に若干湾曲している。
【００３２】
図２の（Ａ）において、円Ｂで示す部分がまつ毛中央部から先端部へのマスカラの塗布に使用され、円Ｃに示す部分がマスカラ塗布時にまつ毛を梳くことに使用され、円Ｄに示す部分がアイラインを引くこと及びマスカラ塗布時のダマを分離することに使用される。また、図２の（Ｂ）において、円Ｅに示す部分は、まつ毛の根元及び全体へマスカラを塗布することに使用される。
【００３３】
図２の（Ａ）からわかるように、基台部１９の支持軸２０から最も離れた先端は、連結される支持軸２０の軸Ａから離間した位置にあり、塗布体１０の基台部１９は、支持軸２０の軸Ａの延在方向から傾いている。一例として基台部１９の支持軸２０に対する傾斜角度は、５〜１０°程度であると好適である（基台部１９の軸Ａからの傾斜角度を図２の（Ａ）に矢印θで示す）。
【００３４】
塗布体１０の基台部１９が支持軸２０に対して傾斜することで、マスカラ容器５０をマスカラ塗布具４０から取り外す際、塗布体１０がしごき部材５２を通過する際に、腹面１１及び腹面突起１３を有する腹側に化粧料を多く付着することができ、背面１２及び背面突起１４を有する背側では化粧料がしごかれる。よって、腹側は塗布に適し、背側はさばきの効果を有する。
【００３５】
基台部１９は、長手方向Ｌに対して、腹面１１側へ凹状に湾曲したアーチ状をしている。つまり長手方向Ｌに対して、腹面１１は凹状に湾曲し、背面１２は凸状に湾曲している。腹面１１は、基台部１９の凹状に湾曲（凹状湾曲面）した内側に位置し、背面１２は、前記凸状に湾曲した外側（凸状湾曲面）に位置する。このように、基台部１９の腹面１１の湾曲の曲率半径Ｒ１は、まつ毛が生えているまぶたの湾曲（目のカーブ）Ｒ（図３の（Ａ）、図６の（Ａ）参照）に対応するよう設定されている。
【００３６】
更に、基台部１９は、長手方向Ｌにおいて、背面１２の湾曲の半径Ｒ２は腹面１１の湾曲の半径Ｒ１よりも大きい、即ち、背面１２の曲率が小さく（曲がり具合が緩やか）であり、腹面１１の曲率が大きい（曲がり具合がきつい）（図３の（Ａ）参照）。よって、基台部１９の高さ方向Ｈにおいて支持軸２０から離れるにつれて腹面１１と背面１２の距離（厚さ）が漸次短く（薄く）なる。例えば、図２の（Ａ）の側面図に示すような、牙状の形状となる。
【００３７】
具体的には、基台部１９のうち、腹面１１の長手方向Ｌの長さが１５ｍｍ〜４０ｍｍ、特に１６ｍｍ〜２８ｍｍであることが、目頭から目尻にわたるまつ毛全体を一度に押さえることができる点と、操作性を兼ね備える点から好ましい。
【００３８】
また基台部１９は、基台部１９の短手方向である幅方向Ｓが、最も広い部分において３〜８ｍｍ、特に３．５ｍｍ〜４．５ｍｍであることが、まつ毛の根元から毛先にわたる全体を押さえることができる点と、操作性を兼ね備える点から好ましい。
【００３９】
基台部１９の腹面１１の湾曲の程度（即ち、湾曲の曲率）は、曲率半径Ｒ１で表して２０ｍｍ以上、特に３０ｍｍ以上であることが、まぶたの湾曲（図６の（Ａ）参照）に合わせてまつ毛を確実に押さえつけることができる点から好ましい。
【００４０】
基台部１９の背面１２の長手方向Ｌに沿う湾曲の曲率は、曲率半径Ｒ２で表して３０ｍｍ以上、特に４０ｍｍ以上であることが、面で接してまつ毛一本一本を分ける（梳く）点から好ましい。
【００４１】
ここで、図３の（Ｂ）及び図３の（Ｃ）に示すように、腹面１１の湾曲方向Ａと略垂直方向の断面は、横断面（基台部の短手方向である幅方向Ｓ）において、少なくとも一部が直線である形状である。ここで、断面における略直線状は、軽度の凹曲線、凸曲線の形状を含みうる（図９，図１０，図１１参照）。
【００４２】
一方、基台部１９の背面１２側は、その幅方向Ｓに関して、外方へ向けて凸状に若干湾曲している。背面１２の幅方向についての湾曲に関し、これらの背面１２の曲率半径Ｒ３〜Ｒ３'（図３の（Ｂ）、図３の（Ｃ））は０．５ｍｍ〜８ｍｍ、特に１．５ｍｍ〜４．０ｍｍであることが好ましい。
【００４３】
幅方向Ｓにおいて、支持部１７に近い部分（図３の（Ｃ））の背面１２の曲率半径Ｒ３'と針状先端１５に近い部分（図３の（Ｂ））の背面１２の曲率半径Ｒ３は等しく、この例では、２．０ｍｍである。あるいは、先端に近い部分の曲率半径Ｒ３の方が支持部１７に近い部分の曲率半径Ｒ３'よりも小さい場合も考えられ、その場合には、最も幅が広い部分（支持部１７側）で、曲率半径は１．５ｍｍ〜２．５ｍｍ程度であるとよい。また、先端に近い部分は、もっと細くてもよく、例えば曲率半径が１．０ｍｍであってもよい。
【００４４】
また、背面突起１４の先端の曲率半径について、図３の例では、０．７ｍｍ〜２．１ｍｍであると好ましい。このとき幅方向Ｓにおいて、支持部１７に近い部分（図３の（Ｃ））の背面突起１４の曲率半径Ｒ４'（例えば２．０ｍｍ）よりも、針状先端１５に近い部分（図３の（Ｂ））の背面突起１４の曲率半径Ｒ４（例えば０．７ｍｍ）の方が小さい。あるいは、先端に近い部分の背面突起１４の先端の曲率半径Ｒ４と、支持部１７に近い部分の曲率半径Ｒ４'が等しい場合も考えられる。
【００４５】
また、図２の（Ｂ）及び（Ｃ）からわかるように、基台部１９は、基台部１９の幅方向においても、支持軸２０から離れるにつれて細くなる被針形状（笹の葉状）の木の葉のような形状（Ｆで囲った部分）である。ここで、被針形状には、広被針形状や、三角形の支持部１７側以外の二辺が外側に膨らむように湾曲している形状や、三角形も含まれるとする。
【００４６】
このように形状が細くなることで、目のカーブの端部の目頭や目尻の短いまつ毛と塗布体１０とが接触し易く、目頭や目尻へ化粧料を塗布するときの、操作性が向上する。なお、図２の（Ｂ）等に示すように、被針形状の先端に針状先端を形成する場合は、被針形状の先端を切り取った切頭形にするのが好ましい。
【００４７】
次に、突起（壁状の突起１３，１４）について説明する。
【００４８】
基台部１９における腹面１１には、複数の壁状の腹面突起（壁状突起、突起ともいう）１３が立設されている。各腹面突起１３は、腹面１１の幅方向の略全体に延在している壁状突起である。複数の腹面突起１３は、腹面１１に略平行に並設されて形成されている。腹面突起１３を設けることで、腹面１１におけるマスカラ液のさばきが向上する。
【００４９】
更に、図２の（Ａ）、図３の（Ａ）からわかるように、本実施形態では、壁状形状の腹面突起（壁状突起）１３は、腹面１１から、腹面１１の前方向であって、断面が直線の部分と略垂直な方向に突出している。
【００５０】
よって、腹面１１及び腹面突起１３は支持軸２０から傾き、支持軸２０から異なる方向へ延在している。支持軸２０から傾くことで、まつ毛の根元へのマスカラ液塗布時、カーブした目元への密着度を調整しやすくなる。また、腹面突起１３において、支持部１７から遠い部分は、基台部１９の幅方向Ｓの腹側の側縁１１１から延出するように設けられている。
【００５１】
更に、図２の（Ａ）に示されるように、各腹面突起１３の先端面（突起先端、稜線）１３１の形状は、平面又は湾曲面である。また、腹面突起１３の全体では、各腹面突起１３の腹面１１から複数突出する高さは略同じ高さであるため、複数の腹面突起１３が並ぶことで、複数の腹面突起１３の先端面１３１は、軸方向Ａに対して、凹状に湾曲になるように並ぶことになる。
【００５２】
このとき、腹面突起１３は、延在の方向と直交する幅方向において、突出の根元と前記突出の先端面１３１とは略等しい幅Ｗｃを備えている。従って、まつ毛との当接面は面形状になり、尖った形状ではないため、マスカラ塗布時に塗布体１０が目に接近することへの恐怖感を低減することができる。
【００５３】
ここで、腹面突起１３の幅Ｗｃは、０．１ｍｍ以上１．５ｍｍ以下、より好ましくは０．２ｍｍ以上０．８ｍｍ以下、例えば０．５ｍｍであると好適である。
【００５４】
また、腹面突起１３の間隔Ｉｃは、０．３ｍｍ以上２．０ｍｍ以下、１．２ｍｍ前後であると好適である。ここで記載した間隔の数値は、腹面突起１３の最も高い部分同士の間隔を表している。
【００５５】
また、側縁１１１と突出部１３２により、幅方向Ｓに対して段差を形成している。なお、後述する図５の（Ｂ）で示すように、塗布の際、｛「間隔Ｉｃ」−「幅Ｗｃ」｝で形成される、突起（腹面１１に対する腹面突起１３、及び側縁（外縁）１１１に対する突出部１３２）間の空間（間隙）（「間隔Ｉｃ」−「幅Ｗｃ」＝「間隙（Ｇａｐ）Ｇｃ」）（図２の（Ａ）参照）に、まつ毛が入り込むことで、まつ毛に化粧料Ｍが塗布される。
【００５６】
したがって、上述のように、恐怖心を低減し、且つ、突起間の間隙にまつ毛を入り込ませるように、「接触面（腹面突起１３の先端面１３１又は突出部１３２の側端１３３）の幅Ｗｃ」：「間隙の幅（Ｇｃ）」の比率が、１：４以上１：０．８以下であると好ましい。
【００５７】
ここで、腹面突起１３の高さＴｃは、０．１ｍｍ以上４．０ｍｍ以下、より好ましくは、０．５ｍｍ〜２．０ｍｍ程度、例えば０．９ｍｍ程度であると好適である。
【００５８】
詳しくは、図６の（Ｃ）に示すように腹面１１が上を向いた状態で、目元に塗布体１０を近づける際、「腹面突起１３の高さＴｃ」（図２の（Ａ）参照）ｘ「腹面突起の幅Ｗｃ」がまつ毛と最初に接触する接触面となる。
【００５９】
従って、まぶたへ近接する際に恐怖感を取り除くために、「腹面突起１３の高さＴｃ」ｘ「腹面突起の幅Ｗｃ」で規定される突出部１３２の側端（側縁、先端部）１３３の接触面積（先端面積）が０．２ｍｍ２以上２．０ｍｍ２以下、例えば０．５ｍｍ２程度であると好適である。
【００６０】
ここで、腹面突起１３の幅方向Ｓへの突出長さＬｐ（図２の（Ｂ）参照）は０．１ｍｍ以上２．５ｍｍ以下であると好適であり、さらに、０．５ｍｍ以上１．８ｍｍ以下、例えば、１ｍｍ程度であるとさらに好適である。
【００６１】
また、腹面突起１３の長さＬｃは、基台部１９の幅方向Ｓとほぼ等しく、特に最も広い部分において３．０ｍｍ〜８．０ｍｍ程度、特に３．５ｍｍ〜４．５ｍｍ程度であると好適である。
【００６２】
詳しくは、図６の（Ｄ）に示すように、腹面がまつ毛に対向する状態で、目元に塗布体１０を近づける際、「腹面突起１３の長さＬｃ」ｘ「腹面突起の幅Ｗｃ」がまつ毛と接触する接触面となる。従って、まぶたへ近接する際に恐怖感を取り除くために、「腹面突起１３の長さＬｃ」（図２の（Ｂ）参照）ｘ「腹面突起の幅Ｗｃ」（図２の（Ａ）参照）で規定される腹面突起１３の先端面１３１の接触面積（先端面積）が０．６ｍｍ２以上６．０ｍｍ２以下、例えば２．０ｍｍ２程度であると好適である。
【００６３】
このように、略板状の腹面突起１３の先端面１３１は、基台部１９の長手方向Ｌに対して所定の幅Ｗｃを有し、基台部１９の幅方向Ｓに上記所定の幅Ｗｃに対応する所定の長さ（図２では腹面１１の全体面）に延在している、面形状である。また、隣接する腹面突起１３は略等間隔に並んでおり、各腹面突起１３の間は腹面１１である。
【００６４】
この構成により、化粧料を塗布する際、まつ毛は、面形状の腹面突起１３の先端面１３１又は腹面１１と面状に接触する。よって、まつ毛を持ち上げやすくするとともに、塗布体１０が眼球やまぶたに接近することへの恐怖感を低減することができる。
【００６５】
更に、図２の（Ｂ）に示すよう支持部１７近くの腹面突起１３の先端面１３１の一部は角部が削られ、最も高い部分を楕円形状にしてもよい。この構成により、角部を減らし、まつ毛の根元への圧接の際に、腹面突起１３の角の部分が周囲のまぶたへ接触しづらくなる。
【００６６】
ここで、図２の（Ｂ）に示すように、腹面１１に設けられる腹面突起１３の突出部１３２は、腹面１１の側縁（外周縁）１１１から外側に突出している。突出部１３２が側縁１１１の外側に突出することで、後述するまつ毛の根元から中央部へマスカラ塗布具４０を移動させる際にまつ毛を梳きやすくする。
【００６７】
なお、全ての腹面突起１３が突出部１３２を有する必要はなく、少なくともその一部分が突出部１３２を備えてればよい。また、突出部１３２の側縁１１１からの突出量が、異なっていても、均一でもよい。例えば、本実施形態では、針状先端１５に近い腹面突起１３ほど、突出部１３２の突出量が大きくなる。よって、基台部１９の先端付近の横断面を示す図３の（Ｂ）では、腹面突起１３の突出部１３２は、側縁１１１から飛び出しているが、基台部１９が幅広である支持部１７に近い部分の横断面を示す図３の（Ｃ）では、腹面突起１３は、側縁１１１から突出していない。
【００６８】
図２の（Ｃ）に示すように、基台部１９における背面１２には、複数の壁状の背面突起１４が起立している。各背面突起１４は、背面１２の幅方向に延出するよう形成された壁状突起である。各背面突起１４は、基台部１９の長手方向Ｌに沿って一列に整列している。
【００６９】
ここで、背面突起１４の高さＴｖ（図２の（Ａ）参照）で最も高いところは、０．１ｍｍ以上４．０ｍｍ以下、より好ましくは０．７ｍｍ程度であると好適である。背面突起１４の幅Ｗｖは、０．１ｍｍ以上２．０ｍｍ以下、１．２ｍｍ程度であると好適である。背面突起１４の長さＬｖ（図２の（Ｃ）参照）は、最も広い部分において３．０ｍｍ〜８．０ｍｍ程度、特に３．５ｍｍ〜４．５ｍｍ程度であると好適であって、基台部１９の幅方向Ｓの背側の側縁１２１から突出する場合は突出量が１．８ｍｍ以下であるように、設けられている。
【００７０】
また、背面突起１４の間隔Ｉｖは、０．３ｍｍ以上２．０ｍｍ以下、１．２ｍｍ前後であると好適である。ここで記載した間隔の数値は、背面突起１４の最も高い部分同士の間隔を表している。
【００７１】
背面突起１４は、基台部１９（背面１２）の略全長にわたって並んでいる。このように並んだ背面突起１４は、図６の（Ｅ）に示すようにまつ毛をさばくのに利用される。背面突起１４の突起側縁１４Ｓは、図２の（Ｃ）に示すように、その全てが背面１２の側縁１２１と同じ位置又は側縁１２１よりも内側に位置している。あるいは、背面１２の側縁１２１から突出する場合は突出量が１．８ｍｍ以下であるように設けられている。
【００７２】
更に、図３の（Ｂ）及び（Ｃ）に示すように、背面突起１４は、延在する方向（高さ方向）において、中央部１４Ｃが高く、それより両側縁に向かい漸次低くなる三日月形状としているが、最も高い位置を中央以外としてもよく、形状は限定されない。
【００７３】
この構成によっても、図５の（Ｂ）に示すように、まつ毛の根元へ、塗布体１０で化粧料（マスカラ液）Ｍを塗布する際、反対側の部分が目に接触することを防止でき、接触の恐怖を低減することができる。
【００７４】
＜比較例の構成を用いて化粧する際の目元と塗布具との位置関係＞
図４の（Ａ）は比較例のマスカラの図３の（Ａ）のＰ方向から見た矢視図、図４の（Ｂ）は比較例のマスカラを用いて化粧をするときの目元の断面模式図である。
【００７５】
ここでは、目元の化粧として、マスカラを塗布する際に、使用者は、鏡で自分のまつ毛（図中、上まつ毛ＵＡ、下まつ毛ＬＡ）の根元を視認しやすくするために、目線を下方に向けたり、顔を上向きにしたり、マスカラ塗布具４０を持っていない方の手の指でまぶた（上まぶたＵＩ，下まぶたＬＩ）を持ち上げたり、引っ張ったりすることが好ましい。
【００７６】
比較例として、軸部９１に対して放射状のブラシ９２を備える塗布体を備えるマスカラ塗布具９０について検討する。
【００７７】
ここで、マスカラ塗布具９０では図４の（Ａ）に示すように、使用者が持って操作する把持部３０と同一直線上であって、操作の力が直接伝わる軸部９１からブラシが放射状に長く飛び出している。このマスカラ塗布具９０を用いて、まつ毛ＵＡの根元にブラシ９２を接触させてマスカラ液を塗布する場合、軸部９１から突出した別の方向のブラシ９２の先端が眼球へ接触したり、まつ毛ＵＡの間隙からブラシの先端が突出してまぶたＵＩに当たってしまったりするおそれがある。
【００７８】
具体的に、図４の（Ｂ）に示すように、軸部９１からブラシ９２が放射状に飛び出していると、図中、円γで示すように、上まつ毛ＵＡを塗布しようとするブラシ９２ａに対し、反対側に突出するブラシ９２ｏが眼球ＥＢに当接するおそれがある。特に、先端に向かうにつれ先細りとなる錐形のブラシ９２を備えるマスカラ塗布具９０では、ブラシ９２の先端の接触部は点形状となるため、眼球ＥＢへの当接による恐怖を感じる傾向が強い。
【００７９】
また、マスカラ塗布具９０をまぶたＵＩへ近づけすぎた場合、図中、円δで示すように、まつ毛ＵＡに塗布するために当接させるブラシ９２ａと隣接するブラシ９２ｂの先端が、まぶたＵＩに接触するおそれがある。また、接触により、まぶたＵＩの望まない部分にマスカラ液が付着してしまうと、その付着を落とす手間が必要となる。
【００８０】
このように、使用者が比較例のマスカラ塗布具９０を用いて化粧する際に、塗布側と反対側のブラシ９２ｏの眼球ＥＢへの接触、塗布側に隣接するブラシ９２ｂのまぶたＵＩへの接触へのおそれ（恐怖心）があり、さらに、まぶたＵＩの望まない部分に化粧料が付着した場合には、付着を落とす煩わしさがある。そのため、使用者は、まつ毛ＵＡの根元へマスカラを塗布することを躊躇する傾向にある。
【００８１】
これに対し、本願の目元化粧用塗布具では、上記問題を解決することができる。
【００８２】
＜本願の構成を用いて化粧する際の目元と塗布具との位置関係＞
図５の（Ａ）は、本願の一実施形態のマスカラ塗布具４０の図３の（Ａ）のＰ方向から見た矢視図、図５の（Ｂ）は本願の一実施形態のマスカラ塗布具４０を用いて化粧するときの目元の断面模式図を示す。
【００８３】
本願の一実施形態のマスカラ塗布具４０を用いるとき、腹面１１を上方向に向けて、腹面突起１３及び側縁からの突出部１３２でまつ毛ＵＡの根元にマスカラ液を塗布すると、反対側の背面１２が眼球ＥＢに近接する。
【００８４】
ここで、上述のように背面１２の背面突起１４は、中央部１４Ｃが最も高く突出し、突起側縁１４Ｓになるにつれて徐々に低くなる三日月形状（略三日月形状）である。また、背面突起１４の突起側縁１４Ｓは、背面１２の側縁１２１と同じ位置又は背面１２の側縁１２１よりも内側に位置している（図５の（Ａ）参照）。あるいは、突起側縁１４Ｓが背側の側縁１２１から突出する場合は、突出量が１．８ｍｍ以下であるように設けられている。
【００８５】
よって、図５の（Ｂ）に示すように、まつ毛ＵＡに塗布する腹面１１の腹面突起１３とは反対側の方向の図中、円αの位置には、基台部１９から背面突起１４が突出しないことになり、眼球ＥＢに塗布体１０が触れる可能性を低減することができる。
【００８６】
また、腹面突起１３の先端面１３１は、腹面１１と略相似形に腹面１１と略並行に湾曲して並ぶように配列されているので、まつ毛ＵＡのカーブ（カールしたまつ毛）に沿いやすい。
【００８７】
よって、図５の（Ｂ）の円βの位置で、まぶたＵＩに腹面突起１３が接触しないように調整しやすい。
【００８８】
また、本発明の構成では、腹面突起１３の側縁からの突出部１３２が短い（例えば１．８ｍｍ以下である）ため、まつ毛ＵＡの根元のすきまに入れ込んだ際に、まぶたＵＩに接触しにくい。
【００８９】
また、この実施形態では突出部１３２の先端面（側端起立面）は、腹面１１からの突起１３の突出の高さに相当し、所定の幅（例えば、０．１ｍｍ以上１．５ｍｍ以下、より好ましくは０．２ｍｍ以上０．８ｍｍ以下、例えば０．５ｍｍ程度）であると好適である。この幅を有しているので、突起１３の先端が尖っておらず、まぶたＵＩに接近する際の恐怖心を低減できる。
【００９０】
これにより、本実施形態のマスカラ塗布具を用いてまつ毛（上まつ毛ＵＡ、下まつ毛ＬＡ）の根元に化粧料Ｍを塗布する際に、眼球ＥＢやまぶた（上まぶたＵＩ、下まぶたＬＩ）への接触の恐怖が低減されるため、使用者は、まつ毛の根元にマスカラを確実に塗布することができる。
【００９１】
＜使用態様＞
図６は本発明の一実施形態の目元化粧用具のマスカラの上まつ毛への使用態様の例を示している。図６の（Ａ）及び（Ｂ）はまつ毛根元へのマスカラ液塗布時の正面図を示す。
【００９２】
図６の（Ｃ）はまつ毛根元へのマスカラ液塗布時の側面図、図６の（Ｄ）はまつ毛の中央部〜先端部へのマスカラ液塗布時の側面図を示す。なお、図６の（Ｃ），（Ｄ）は機能の説明のため、使用者の目元は側面図を示すが、マスカラ塗布具４０は横断図を用いて説明する。図６の（Ａ）〜（Ｄ）で示す塗布動作を行う際は、基台部１９の腹側（腹面１１，腹面突起１３）、と側縁側（側縁１１１（１２１）、突出部１３２）を利用する。
【００９３】
図６の（Ｅ）はまつ毛中央部のまつ毛さばき時の斜視図、及び図６の（Ｆ）は目尻付近のまつ毛さばき時の斜視図を示す。
【００９４】
まず、まつ毛根元へのマスカラ液塗布時、図６の（Ａ）に示すように、腹面１１の湾曲Ｒを目元のカーブＲに対応させるように、目元（正面方向）に対して位置させる（差し込む）。このとき、側面では図６の（Ｃ）に示すように、まつ毛をかき分けるように、突出部１３２をまつ毛と接触させながら、マスカラ塗布具４０をまつ毛の根元へ当接させる。
【００９５】
図６の（Ｂ）の正面図及び（Ｃ）の側面図に示すように、マスカラ塗布具４０をまつ毛の根元へ接触させ始める際、突出部１３２と側縁１１１との段差により、まつ毛を捌きながら（かき分けながら）、突出部１３２がまつ毛の根元に接触する。このとき、まつ毛の根元は、突出部１３２又は側縁１１１と接触している。
【００９６】
上記の図６の（Ｂ）及び（Ｃ）に示すように、腹側を上側に向けた使用態様（図６の（Ｂ））は次の塗布動作へ移行させやすい点で有利である。しかし、塗布開始の際、どちらの側縁側であっても、突出部１３２と側縁１１１による段差がまつ毛の根元へ当接していればよいため、腹側を眼球側に向けた使用態様、または腹側を下側に向けた使用態様のいずれであってもよい。
【００９７】
ここで、本発明の実施形態では、図６の（Ｃ）から分かるように、突起１３，１４が眼球方向へ突出していないため、マスカラ塗布具４０が眼球へ接触する恐怖心を抑制できる。
【００９８】
また、図６の（Ｃ）に示すように、突出部１３２がまつ毛の根元に入り込ませやすい形状（長さ）であることにより、まつ毛の根元から化粧料をしっかりと塗布することができる。ここで、突出部１３２がまつ毛の根元に入り込んで当接する状態である、図６の（Ｂ）及び（Ｃ）の状態で、まつ毛の根元に押し当てる。そして、しばらくの間、この押し当て状態を維持することで、まつ毛の根元が上方に向くようにする。
【００９９】
その後、まつ毛中央部から先端部へマスカラ液を塗布するため、図６の（Ｄ）の状態のように塗布体１０の腹側（腹面１１、腹面突起１３）をまつ毛に当接させて押し当てながら、マスカラ塗布具４０をまつ毛に対して上方に移動させる。
【０１００】
ここで、腹面突起１３の先端面１３１は、平面又は湾曲面（凹状、凸状）の面状であり、略等間隔に並ぶ隣接する腹面突起１３の間隔の溝は、腹面１１に相当するため、図６の（Ｄ）の状態では、まつ毛とマスカラ塗布具４０とは、まつ毛が伸びる方向と同じ方向に、面状に接触する。よって、まつ毛にきれいなカールが付与され、仕上がり性が良好になる。
【０１０１】
さらに、基台部１９の腹面１１の曲率半径Ｒ１は、図６の（Ａ）で示すように、まぶたのカーブ（湾曲形状の曲率半径）Ｒに大体合致し、腹面１１は湾曲形状の少なくとも一部に合致して延在している。更に、腹面突起１３の先端面１３１はまぶたの湾曲形状の少なくとも一部に合致して長手方向Ｌへ凹状に湾曲するように並んでいる。そのため、目頭から目尻までの広い範囲にわたり、まつ毛を押し当てることができるので、押し当て回数が１回又は最小限の回数で済む。
【０１０２】
このように、マスカラ液をまつ毛に塗布する際、目のカーブの端部に位置する目頭や目尻ではまつ毛が短いため、マスカラ塗布具４０が太いと当接させづらい。よって、目頭や目尻にマスカラ液を塗布する際、マスカラ塗布具４０の塗布体１０の細い部分を目頭や目尻に当接させると好適である。本実施形態において、塗布体１０の針状先端１５に向けて、基台部１９は高さ方向Ｈ及び幅方向Ｓ（図２の（Ｂ）参照）において先細り形状であるため、図６の（Ｂ）の目頭側（Ｉ）又は目尻側（Ｔ）のように、マスカラ塗布具４０の塗布体１０の先端部分を利用することで、目頭や目尻側の短いまつ毛にも化粧料が塗布しやすくなり、操作性が向上する。
【０１０３】
上記のように、側面から見て図６の（Ｃ）の角度⇒（Ｄ）の角度で、目元（正面）に対して図６の（Ａ）⇒（Ｂ）のような相対位置で、塗布する操作によって、まつ毛にマスカラ液を塗布する。なお、必要に応じて、所望の量のマスカラ液がまつ毛に塗布されるまで、上記塗布の操作を繰り返してもよい。
【０１０４】
ここで、マスカラ液が塗布されたまつ毛は、マスカラ液の有する粘性によって、複数本が束になった状態になることがある。そこで、束になった状態のまつ毛を一本一本分離させるための操作を次に行う。
【０１０５】
図６の（Ｅ）に示すように、マスカラ塗布具４０の腹側と背側を上下反転させて、基台部１９の背面１２を目元に近づける。そして背面１２に設けられた背面突起１４によって、まつ毛を根元から先端に向けて梳き上げる。まつ毛は、背面１２に形成されている背面突起１４間の溝部に案内され、背面突起１４によって梳かれる（セパレート効果）。なお、図６の（Ｅ）では、背面１２及び背面突起１４を用いて、上側からまつ毛を梳く例を示しているが、背面１２及び背面突起１４を用いて、下側からまつ毛を梳いてもよい。
【０１０６】
ここで、基台部１９において、上記のように塗布体１０が軸に対して傾斜することで、マスカラ塗布具４０をマスカラ容器５０から取り外す際、塗布体１０がしごき部材５２（図１の（Ａ）参照）を通過する際に、腹側（腹面１１、腹面突起１３）は付着した化粧料が残るが、背側（背面１２，背面突起１４）は化粧料がしごかれる。更に、背面１２は表面が凸形状なので、マスカラ液中に浸漬後、しごき部材５２を通過する際に、マスカラ液が背面１２，背面突起１４には残りづらい。よって、図６の（Ｅ）のように、背面１２，背面突起１４でまつ毛を捌くときに、追加のダマが発生することを防止できる。
【０１０７】
腹面１１の突出部１３２と腹面突起１３による化粧料塗布と、背面１２と背面突起１４による束になったまつ毛を分離させる操作を所望の回数繰り返して、希望する仕上がりを得る。
【０１０８】
図６の（Ｅ）に示す操作でも、複数本のまつ毛の束がほどかれない場合、例えば、目元の構造上、カーブの終端となる目頭や目尻付近では束がほどかれないことがあるが、図６の（Ｆ）のような方法で束になったまつ毛を分離させることも可能である。
【０１０９】
図６の（Ｆ）では、目尻付近のまつ毛さばき時であって、基台部１９の先端である先細り形状の針状先端１５あるいは先端付近の突出部１３２でダマをかき分けることで、束になったまつ毛を分ける。
【０１１０】
このように本実施形態によれば、塗布体１０の種々の面を使い分けることで、まつ毛を根元から立ち上げてまつ毛全体をカールし、ボリューム感を持たせると共にダマやムラを防ぎ良好な仕上がりを実現できる。よって、本願のマスカラ塗布具でマスカラを塗布することで、まつ毛の根元に当てても怖くなく、メーキャップ効果も両立することが可能になる。
【０１１１】
また、本願の目元化粧用塗布具を用いて、化粧料を下まつ毛へ塗布することもできる。図７の（Ａ）〜（Ｄ）は本発明の一実施形態の目元化粧用塗布具のマスカラの下まつ毛への使用態様の例である。図７の（Ａ）は、背側を上に向けた使用例の正面図で、（Ｂ）は（Ａ）に対応する側面図である。図７の（Ｃ）は、腹側を上に向けた使用例の正面図で、（Ｄ）は（Ｃ）に対応する側面図である。
【０１１２】
図７の（Ｂ）及び（Ｄ）に示す断面図からわかるように、いずれの場合であっても側面の段差（側縁側の突出部１３２と側縁１１１（１２１））をまつ毛の根元に当て、毛先に向かって梳かしおろすように塗布する。そのため、ダマを発生させずに、まつ毛を捌きながら、マスカラを下まつ毛へ均等に塗布することができる。
【０１１３】
あるいは、図６の（Ｆ）のような向きで、塗布体１０の針状先端１５を用いて、下まつ毛にマスカラを塗布してもよい。
【０１１４】
なお、本願の目元化粧用塗布具において、図６及び図７のように塗布する化粧料（液体）は、マスカラ塗布用に限られず、例えば、まつ毛用育毛剤や、マスカラ下地、まつ毛エクステ用のコーティング剤、まつ毛エクステ用美容液等であってもよい。
【０１１５】
更に本願の目元化粧用塗布具は、アイライナーとして用いることもできる。図８は本発明の一実施形態の目元化粧用塗布具のアイライナーの使用態様の例を示し、図８の（Ａ）は細めにアイラインを引く場合の正面図、図８の（Ｂ）は太めにアイラインを引く場合の正面図を示す。
【０１１６】
図８の（Ａ）及び（Ｂ）に示すように、アイライナー使用時では、目の縁部に、マスカラ塗布具４０の針状先端１５を当接させるか、側縁１１１から延出する腹面突起１３の突出部１３２を当接させてアイラインを描いて（引いて）もよい。
【０１１７】
ここで、アイラインを引く際には、鏡で自分のまつ毛の根元を視認しやすくするため、並びにアイラインを引きやすくするために、まぶたを指で持ち上げたり、まぶたを横方向へ引っ張ったり、下方を向いてまぶたを半開きにしてもよい。
【０１１８】
まぶたのアイラインを描く領域を目尻部、中央部、目頭部に分割し、この順にアイラインと描くと美しい仕上がりが得られる（各部位の中では、目頭から目尻方向へ手を動かしてラインを描く）が、使用方法はこれに限定されるものではない。
【０１１９】
ここで、アイライナーとしての用途を考慮して、本願の目元化粧用塗布具は、少なくとも先端部（針状先端１５）に、フロッキー１６が付与（フロッキー処理（表面の静電植毛））されていると肌あたりの観点から好ましい。
【０１２０】
＜基台部の変形例＞
図９は、本発明の基台部１９の複数の変形例の横断図を示す。
【０１２１】
図９は、突起１３，１４を除いた基台部１９の複数の変形例を示す。上記実施形態では、図９の（Ａ）に示すように、基台部１９は、幅方向で切断した断面において、腹面１１は平面形状で、背面１２は、外側に凸状に湾曲している。しかし、基台部１９の形状はこれに限られず、様々な形態がとり得る。
【０１２２】
例えば図９の（Ｂ）〜（Ｄ）に示すように、面の形状が異なっていてもよい。図９の（Ｂ）は背面１２aの湾曲が図９の（Ａ）に比べて大きくなっている。図９の（Ｃ）は、腹面１１ａが窪んで湾曲した構成となっている。このとき、窪んだ部分の曲率は、腹側よりも背面の方が大きくなっている。図９の（Ｄ）は、腹面１１ｂが外側に向けて突出する湾曲形状とされている。
【０１２３】
更に、図９の（Ｅ）〜（Ｇ）に示すように、腹面１１と背面１２との間に、側面１８を設けてもよい。この場合も、上記図９の（Ａ）〜（Ｄ）と同様に、面の形状について適宜変形してもよい。例えば、図９の（Ｆ）に示すように、腹面１１ａが凹状に少し湾曲していてもよい。図９の（Ｇ）に示すように、腹面１１ｂが凸状に少し湾曲していてもよい。
【０１２４】
なお、いずれの形態の場合も、眼球への塗布体１０の接触の恐怖を回避するため、背面１２は外側に凸状に湾曲する湾曲面であると好適である。
【０１２５】
＜突起の変形例＞
図１０は、本発明の腹面突起の複数の変形例を示す。図１０の（Ａ）、（Ｃ）〜（Ｆ）はマスカラ塗布具４０（塗布体１０）の横断図であり、図１０の（Ｂ）が、図３の（Ａ）のＰ方向から見た（斜め上から見た）図１０の（Ａ）の塗布体１０の矢視図である。
【０１２６】
上述の実施形態では、腹面突起１３の先端面（稜線）１３１は図３の（Ｂ）及び（Ｃ）に示すように、平面形状であった。しかし、腹面突起の形状は平面な形状に限られず、先端面１３１を曲面等の様々な形状とすることができる。
【０１２７】
例えば図１０の（Ａ）に示すように、腹面突起１３ａの先端面１３１ａが凸状に湾曲した面としてもよい。腹面突起１３ａの先端面１３１ａを湾曲面とした場合であっても、基台部１９から突出する高さＴｃ及び突出部１３２ａの長さは、上述の実施形態と同様で、短いため、まぶたと接触しづらい。
【０１２８】
また、図１０の（Ｂ）は図１０の（Ａ）の構成の矢視図である（なお、図１０（Ｂ）では背面突起１４を少し大きめに示している）。腹面突起１３ａにおいて、先端面１３１ａが湾曲していても、幅方向において、突出の根元と前記突出の先端面１３１ａとは略等しい幅Ｗｃを備えている。従って、まつ毛との当接面は膨らんだカーブ面形状になり、尖った形状ではないため、マスカラ塗布時に塗布体１０が目に接近することへの恐怖感を低減することができる。
【０１２９】
また、図１０の（Ｃ）で示すように、腹面突起１３ｂの幅方向の全体を凸状の湾曲面形状（略半楕円形状）としてもよい。さらに、図１０の（Ｄ）に示すように、腹面突起１３ｃの全体が楕円の一部を切断して切断面を腹面１１と連接させた形状であってもよい。
【０１３０】
または、図１０の（Ｅ）に示すように、腹面曲面を腹面突起１３ｄの側面だけに形成してもよい。更に、図１０の（Ｆ）に示すように、腹面突起１３ｅの先端面１３１ｅを窪んだ湾曲面としてもよい。
【０１３１】
いずれの構成の場合も、腹面突起１３（１３ａ，１３ｂ，１３ｃ，１３ｄ，１３ｅ）の、基台部１９から腹面方向の突出長さである高さＴｃは短く、さらに、側縁方向へ延出する突出部１３２の突出方向の長さＬｐは短いため、まぶたと接触しづらい。
【０１３２】
図１１は、本発明の腹面突起の複数の変形例を更に示す。上記図１０に示す変形例では、突起の形状は左右対象であった。しかし、図１１に示すように、突起の形状は左右対象に限られず、様々な形態がとり得る。図１１の（Ａ）、（Ｃ）〜（Ｇ）はマスカラ塗布具４０（塗布体１０）の横断図であり、図１１の（Ｂ）が、図３の（Ａ）のＰ方向から見た矢視図である。
【０１３３】
図１１の（Ａ）に示す、腹面１１から突出する腹面突起（壁状突起）１３ｆは、延在する方向に対し漸次その高さが変化するよう形成されている。よって、腹面突起１３ｆの先端面（上面）１３１ｆは傾斜面となる。また、腹面突起１３ｆは、その一端（側面）１３３ｆが平面とされている。
【０１３４】
また図１１の（Ｂ）に示す例では、腹面突起１３ｆの一端１３３ｆは腹面１１の側縁１１１から突出しているが、他端は、腹面１１の側縁１１１とは、一致しており突出していない。更に、隣接する腹面突起１３ｆの離間距離は等間隔とされており、腹面突起１３ｆの先端面１３１は平面であるため、まつ毛或いはまつ毛の生え際と腹面突起１３ｆは面接触する。
【０１３５】
なお、図１１の（Ａ）に示す腹面突起１３ｆではその一端１３３ｆを平面としたが、図１１の（Ｂ）に示すように腹面突起１３ｇの一端１３３ｇを外側に膨らむ湾曲面としてもよい。また、図１１の（Ａ）に示す腹面突起１３ｆでは、上面を平面形状としたが、図１１の（Ｄ）に示すように、腹面突起１３ｈの上面が膨らむ湾曲面としてもよい。
【０１３６】
更に、接触する面は腹面１１の全面すべてに設置されなくてもよい。例えば図１１の（Ｅ）に示す腹面突起１３ｉのように、部分的に設けられてもよい。基台部１９の腹面のうち、腹面突起１３ｉが存在しない部位において、基台部１９の腹面に、幅方向に複数の溝部（図示せず）が形成されていてもよい。
【０１３７】
また、腹面突起は、２列に設けられてもよい。２列に設ける場合は、図１１の（Ｆ）に示すように、腹面突起１３ｊは連接して設置されてもよいし、図１１の（Ｇ）に示すように腹面突起１３ｋは離れて（２列に）設置されてもよい。基台部１９の腹面のうち、腹面突起１３kが存在しない部位において、基台部１９の腹面に、幅方向に複数の溝部（図示せず）が形成されていてもよい。
【０１３８】
＜背面突起の変形例＞
図１２の（Ａ）〜（Ｋ）は、本発明に係る背面突起の複数の変形例の横断図である。
【０１３９】
図１２の（Ａ）は上述の実施形態(例えば、図２，図３，図６等)に対応する背面突起１４を備えるマスカラ塗布体１０の横断面を示す。図１２の（Ａ）では、突起１４は、線対称の三日月形状であった。しかし、背面突起１４の突出開始位置は、背面の縁部に収まっていなくてもよい。
【０１４０】
例えば、背面突起１４の突出は、背面１２の側縁（外周縁）１２１を超えていてもよい。図１２の（Ｂ）及び（Ｃ）に示すように、例えば、腹面突起１３の側端１３３と同じ位置から、背面突起１４ａ，１４ｂが突出してもよい。さらに、円弧形状は、基台部１９に対して対称形状でなくてもよく、非対称に傾斜していてもよい。
【０１４１】
なお、図１２の（Ｃ）に示すように、基台部１９の幅方向の中央部付近に背面突起１４ｂが存在しない場合、基台部１９の背面に、幅方向に複数の溝部１２Ｇが形成されていてもよい。
【０１４２】
さらに、背面突起１４の頂面（先端面）は、全ての部分で湾曲していなくてもよい。例えば、２つ以上の複数の頂点を備える、四角形状であってもよい。
【０１４３】
背面突起１４が四角形状である例として、図１２の（Ｄ）、（Ｅ）及び（Ｆ）に示すように、台形形状であってもよい。この際、安全性を考慮し、背面突起１４ｃ、１４ｄ，１４ｅの角の部分が丸みを帯びているとよい。なお、四角形状又は上述の円弧形状は、基台部１９に対して対称形状でなくてもよく、図１２の（Ｅ）に示すように、非対称に傾斜していてもよい。
【０１４４】
さらに、背面突起１４の側端は、腹面突起１３の側端よりも突出していてもよい。例えば図１２の（Ｇ）に示すように、非対称の四角形状の背面突起１４ｆにおいてｐｄ１部分が腹面突起１３よりも突出している。
【０１４５】
また、背面突起１４の側端は、腹面突起１３の側端よりも突出している場合、両端側から突出していてもよい。図１２の（Ｈ）に示すように、例えば矩形形状の背面突起１４ｇにおいて、両端のｐｄ２の部分が腹面突起１３の側端１３３から突出している。
【０１４６】
あるいは、背面突起１４を腹面突起１３の側端よりも突出させるために、図１２の（Ｉ）、（Ｊ）及び（Ｋ）に示すように、一対の背面突起（１４ｉ，１４ｈ）、（１４ｋ，１４ｊ）、（１４ｌ，１４ｍ）を設けてもよい。
【０１４７】
図１２の（Ｇ）〜（Ｋ）に示すように、背面突起１４の側端は、腹面突起１３の側端１３３よりも突出している場合、背面突起１４を図６の（Ｃ）に示すようなまつ毛の根元の立ち上げ動作に利用してもよい。
【０１４８】
図１２の（Ｇ）〜（Ｋ）に示す構成で、腹面突起の側端と、背面突起の側端との距離（段差）が大きすぎる（長すぎる）と、まぶたに接触しやすくなってしまう。そのため、背面突起１４の側端と、腹面突起１３の側端１３３又は腹面１１の側縁１１１のいずれか短い方の距離（ｐｄ１，ｐｄ２，ｐｄ３，ｐｄ４，ｐｄ５）が、１．０ｍｍ以下であると好適である。
【０１４９】
＜側面突起の変形例＞
図１３は、本発明に係る側面突起の複数の変形例の横断図である。上述の図９の（Ｅ）〜（Ｇ）に示すように、腹面１１と背面１２との間に、側面１８を設けている場合、側面１８から突出する側面突起が設けられていてもよい。
【０１５０】
図１３の例では、図９の（Ｅ）の構造に対して、側面突起を設けている。側面突起を設ける場合は、図６の（Ｃ）に示すようなまつ毛の根元の立ち上げ動作に適用可能にするため、腹面１１に対して上方に突出していると好適である。
【０１５１】
側面突起は、例えば、図１３の（Ａ）の側面突起１８ａに示すように、起立面（腹側）を直線状にしてもよいし、図１３の（Ｂ）の側面突起１８ｂに示すように、起立面が曲面形状であってもよい。
【０１５２】
また、側面突起は、図１３の（Ｃ）に示す側面突起１８ｃ，１８ｄのように、両側の側面１８に設けてもよい。ここで、側面突起を設ける場合、側面突起（１３ａ，１３ｂ，１３ｃの角の部分が丸みを帯びているように構成する。
【０１５３】
また、図１３の（Ｄ）は図１３（Ａ）の構成の図３の（Ａ）のＰ方向の簡略化した矢視図である。側面突起１８ａにおいて、幅方向において、突出の根元と先端面とは略等しい幅Ｗｘを備えている。従って、まつ毛との当接面は面状、カーブ面形状、又は丸みを帯びた角部であり、尖った形状ではないため、マスカラ塗布時に塗布体１０が目に接近することへの恐怖感を低減することができる。
【０１５４】
なお、図１３の横断面において、腹面突起１３、背面突起１４は図示していないが、側面突起を設ける場合に腹面突起１３又は/及び背面突起１４と一緒に設けてもよいし、腹面突起１３又は背面突起１４のいずれかに代えて側面突起としてもよい。腹面突起１３又は背面突起１４のいずれかが存在しない場合は、基台部１９の幅方向に延びる複数の溝部（図示せず）が形成されていてもよい。
【０１５５】
いずれの変形例を用いるとしても、上記実施形態に係るマスカラ塗布具４０と同様にこれらの複数の変形例に係るマスカラ塗布具を用いてまつ毛の根元への塗布する際に、眼球やまぶたへの接触の恐怖を低減でき、まつ毛の根元にマスカラを塗布することを躊躇しにくくすることができる。更に、まつ毛を根元から立ち上げてカールし、ボリューム感を持たせると共にダマやムラを防ぎ良好な仕上がりを実現できる。
【０１５６】
＜先端部の変形例＞
図１４は、本発明の先端部の変形例を含む塗布体の例を示す。
【０１５７】
本実施形態に係る塗布体は、先端部が二股状に枝分かれすることにより、２つの針状先端１５Ａ，１５Ｂを有している。
【０１５８】
本実施形態の塗布体１０Ａを使用すると、例えば図６の（Ｆ）に示すまつ毛さばき時に、２つの先端部（針状先端１５Ａ，１５Ｂ）と溝を用いてさばくことができる。ただし、上述の実施形態に係る塗布体１０（図２参照）と比較して幅が太くなるため、用途とサイズに応じて、適宜構成を選択すると好ましい。
【０１５９】
本実施形態に係るマスカラ塗布具では、幅が太いため、上記実施形態に係るマスカラ塗布具４０よりも、更にまつ毛をカールし、ボリューム感を持たせやすくなると共に、２つの先端部によりダマやムラをより防ぎやすく、良好な仕上がりを実現できる。
【０１６０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【０１６１】
１  マスカラツール（目元化粧用具）
１０，１０Ａ  塗布体
１１，１１ａ，１１ｂ  腹面
１１１  腹面の側縁（外周縁）
１２，１２ａ  背面
１２１  背面の側縁（外周縁）
１３，１３ａ，１３ｂ，１３ｃ，１３ｄ，１３ｅ，１３ｆ，１３ｇ，１３ｈ，１３ｉ，１３Ｊ，１３ｋ  腹面突起（突起）
１３１，１３１ａ，１３１ｆ  先端面
１３２  腹面突起側方延出部（突出部）
１３３，１３３ｆ，１３３ｇ  腹面突起の側端
１４  背面突起
１５  針状先端
１５Ａ，１５Ｂ  針状先端（針状の先端部）
１６  フロッキー
１７  支持部
１７Ｊ  連結部
１８  側面）
１９  基台部
２０  支持軸
３０  把持部
４０  マスカラ塗布具（目元化粧用塗布具、アプリケーター）
５０  マスカラ容器（化粧料容器）
５１  しごき部材
Ａ  軸方向
Ｌ  基台部の長手方向
Ｓ  基台部の幅方向（短手方向）
Ｈ  基台部の高さ方向
Ｄ  基台部の先端と軸との距離
Ｍ  化粧料（マスカラ液）
Ｗｃ  腹面突起の幅
Ｗｖ  背面突起の幅
Ｔｃ  腹面突起の高さ
Ｉｃ  腹面突起の間隔
Ｇｃ  腹面突起の間隙
【図１】
2017119108.tif 000003
【図２】
2017119108.tif 000004
【図３】
2017119108.tif 000005
【図４】
2017119108.tif 000006
【図５】
2017119108.tif 000007
【図６】
2017119108.tif 000008
【図７】
2017119108.tif 000009
【図８】
2017119108.tif 000010
【図９】
2017119108.tif 000011
【図１０】
2017119108.tif 000012
【図１１】
2017119108.tif 000013
【図１２】
2017119108.tif 000014
【図１３】
2017119108.tif 000015
【図１４】
2017119108.tif 000016
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
支軸と、
該支軸に支持される基台部と、
前記基台部の腹面に形成され、前記基台部の長手方向に直交する方向に延在する複数の突起と、
前記基台部の前記腹面と対向する背面から突出し、前記基台部の前記長手方向に直交する方向に延在する複数の背面突起と、を有する目元化粧用塗布具であって、
前記突起は前記基台部の腹面から突出するよう形成され、前記突起は前記基台部の側縁から外側に突出する突出部を含んでおり、
前記腹面は前記支軸に対して所定の角度に傾いており、前記背面は前記支軸に対して前記腹面と同じ方向に前記所定の角度よりも小さい角度傾いており、
前記背面は前記長手方向に対して外側に向けて突出した凸状湾曲面であり、前記腹面は、前記長手方向に対して前記背面が突出する方向に窪んだ凹状湾曲面であり、前記長手方向において、前記背面の凸状湾曲面の曲率と前記腹面の凹状湾曲面の曲率とは異なり、
前記基台部の厚さは、前記基台部の前記長手方向において、前記腹面及び前記背面の前記傾き及び前記曲率によって、前記支軸から離れるにつれて徐々に薄くなることを特徴とする、
目元化粧用塗布具。
【請求項２】
前記背面は、幅方向に対して外側に向けて突出した凸状湾曲面であり、
前記背面から突出する各背面突起は、前記延在する方向において、中央部が高く前記基台部の前記側縁へ近づくにつれて徐々に低くなる略三日月形状であって、
前記幅方向において、前記略三日月形状の各平面突起の頂面の湾曲の曲率は、前記背面の前記凸状湾曲面の湾曲よりも大きい、ことを特徴とする、
請求項１に記載の目元化粧用塗布具。
【請求項３】
前記基台部の幅方向における横断面は、前記腹面において、少なくとも一部が略直線である形状であることを特徴とする、
請求項１又は２に記載の目元化粧用塗布具。
【請求項４】
前記基台部の幅は、前記長手方向において、前記支軸から離れるにつれて、徐々に狭くなっており、前記腹面は披針形状であることを特徴とする、
請求項１乃至３のいずれか一項に記載の目元化粧用塗布具。
【請求項５】
前記基台部の長手方向において、前記支軸から最も離れた、前記基台部の前記披針形状の先端に、長手方向に延伸する針状の先端部を設けている、
請求項４に記載の目元化粧用塗布具。
【請求項６】
前記基台部の少なくとも一部にフロッキー処理を施すことを特徴とする、
請求項１乃至５のいずれか一項に記載の目元化粧用塗布具。
【請求項７】
前記腹面から突出する前記突起の先端部は、前記基台部の前記長手方向に対応する幅が、最も広いところで、０．５ｍｍ以上１．３ｍｍ以下の幅を備える、平面又は延在方向に対して窪んだ湾曲面を形成することを特徴とする、
請求項１乃至６のいずれか一項に記載の目元化粧用塗布具。
【請求項８】
「前記突起の延在方向の長さ」ｘ「前記突起の幅」で求められる、前記突起の前記先端部の先端面積が０．６ｍｍ２以上６．０ｍｍ２以下であることを特徴とする、
請求項７に記載の目元化粧用塗布具。
【請求項９】
複数の前記突起の前記先端部が前記基台部の前記長手方向に対して窪んだ湾曲形状に並ぶように、複数の前記突起が並設されており、
前記突起の前記先端部の幅と隣接する突起間の間隙の幅との比率が、１：４以上１：０．８以下である、ことを特徴とする、
請求項７又は８に記載の目元化粧用塗布具。
【請求項１０】
前記基台部の前記側縁の少なくとも一部から外側に突出する前記突出部の先端部が、０．５ｍｍ以上１．３ｍｍ以下の幅を備える平面又は湾曲面を形成することを特徴とする、
請求項１乃至９のいずれか一項に記載の目元化粧用塗布具。
【請求項１１】
「前記突起の高さ」ｘ「前記突起の幅」で求められる、前記突出部の先端部の先端面積が０．２ｍｍ２以上２．０ｍｍ２以下であることを特徴とする、
請求項１０に記載の目元化粧用塗布具。
【請求項１２】
複数の前記突出部は、前記支軸から離れるにつれて前記基台部の前記側縁から長く突出するように並設されており、
前記突出部の先端部の幅と隣接する突出部間の間隙の幅との比率が、１：４以上１：０．８以下である、ことを特徴とする、
請求項１０又は１１に記載の目元化粧用塗布具。
【請求項１３】
請求項１乃至１２のいずれか一項に記載の目元化粧用塗布具と、
前記目元化粧用塗布具の前記支軸に連結可能な把持部と、
前記把持部と装着可能であって、化粧料を収容する化粧料容器と、を備えることを特徴とする、
目元化粧用具。
【手続補正２】
【補正対象書類名】明細書
【補正対象項目名】００１０
【補正方法】変更
【補正の内容】
【００１０】
上記の課題は、支軸と、該支軸に支持される基台部と、前記基台部に形成され、前記基台部の長手方向に直交する方向に延在する複数の突起と、前記基台部の前記腹面と対向する背面から突出し、前記基台部の前記長手方向に直交する方向に延在する複数の背面突起と、を有する目元化粧用塗布具であって、前記突起は前記基台部の腹面から突出するよう形成され、前記突起は前記基台部の側縁から外側に突出する突出部を含んでおり、前記腹面は前記支軸に対して所定の角度に傾いており、前記背面は前記支軸に対して前記腹面と同じ方向に前記所定の角度よりも小さい角度傾いており、前記背面は前記長手方向に対して外側に向けて突出した凸状湾曲面であり、前記腹面は、前記長手方向に対して前記背面が突出する方向に窪んだ凹状湾曲面であり、前記長手方向において、前記背面の凸状湾曲面の曲率と前記腹面の凹状湾曲面の曲率とは異なり、前記基台部の厚さは、前記基台部の前記長手方向において、前記腹面及び前記背面の前記傾き及び前記曲率によって、前記支軸から離れるにつれて徐々に薄くなることを特徴とする、目元化粧用塗布具によって解決することができる。